(57)【要約】  一群（３）のタバコ製品を収容し、かつ第一容器（２）が第二容器（４）へ完全に挿入される閉鎖位置と、第一容器（２）の一部が第二容器（４）から突出する開放位置との間で第二容器（４）に対して摺動するように第二容器（４）内に収納される二つの第一容器（２）を有する、タバコ製品の硬質パッケージ。
2007527826.tif 000002
【特許請求の範囲】
【請求項１】
一群（３）のタバコ製品を収容する第一容器（２）、および第一容器（２）を収容する第二容器（４）を含み、第一容器（２）が第二容器（４）へ完全に挿入される閉鎖位置と、第一容器（２）の一部が第二容器（４）から突出する開放位置との間で第一容器（２）が第二容器（４）に対して摺動するタバコ製品の硬質パッケージにおいて、
前記パッケージが少なくとも二つの第一容器（２）を含み、その各々がそれぞれ一群（３）のタバコ製品を収容し、かつ第二容器（４）に対して摺動自在に収容されていることを特徴とする、タバコ製品の硬質パッケージ。
【請求項２】
第二容器（４）は実質的平行六面体であり、かつ上下端壁（６，５）、上下端壁（６，５）により結合され、かつ長手縁（１０）により相互から分離した側壁（８，９）により画定された側面（７）を含み、
第二容器（４）の前記側面（７）は二つの平行に対峙する主側壁（８）、二つの長手縁（１０）により主側壁（８）から分離した小側壁（９）を含み、
開放端（１１）が第二容器（４）の小側壁（９）の反対側に設けられて第一容器（２）の通過を可能にする、請求項１に記載のパッケージ。
【請求項３】
各第一容器（２）は実質的平行六面体であり、かつ上下端壁（１４，１３）、上下端壁（１４，１３）により結合され、かつ長手縁（１８）により相互から分離した側壁（１６，１７）により画定された側面（１５）を含み、
各第一容器（２）の前記側面（１５）は二つの平行に対峙する主側壁（１６）、および四つの長手縁（１８）により主側壁（１６）から分離した二つの平行に対峙する小側壁（１７）を含み、
各第一容器（２）の上端壁（１４）は、第一容器（２）が開放位置のときに、第一容器（２）からのタバコ製品の抜き取りを可能にする開口部（２０）を有する、請求項１に記載のパッケージ。
【請求項４】
第二容器（４）の小側壁（９）はユーザーの指の挿入を可能にする寸法の少なくとも一つの貫通押し孔（２１）を有する、請求項３に記載のパッケージ。
【請求項５】
第二容器（４）の小側壁（９）は二つの貫通押し孔（２１）を有する、請求項４に記載のパッケージ。
【請求項６】
各貫通押し孔（２１）は第二容器（４）の小側壁（９）および主側壁（８）の両側壁上に延在する、請求項５に記載のパッケージ。
【請求項７】
第二容器（４）の小側壁（９）上の各貫通押し孔（２１）の部分は半円形であり、第二容器（４）の主側壁（８）上の各貫通押し孔（２１）の部分は矩形でありかつ半円形部で終端している、請求項６に記載のパッケージ。
【請求項８】
一つの第一容器（２）の小側壁（９）の一部のみを露出させるために、各貫通押し孔（２１）は第二容器（４）の小側壁（９）の限られた部分上に延在する、請求項５、６または７のいずれか１に記載のパッケージ。
【請求項９】
二つの貫通押し孔（２１）は相互に対して一直線でない、請求項５から８のいずれか１に記載のパッケージ。
【請求項１０】
少なくとも一つの貫通押し孔（２１）は引き裂きタブにより少なくとも一部が被覆されている、請求項５から９のいずれか１に記載のパッケージ。
【請求項１１】
複数の貫通押し孔（２１）は引き裂きタブにより少なくとも一部が被覆されている、請求項５から９のいずれか１に記載のパッケージ。
【請求項１２】
第二容器（４）の各主側壁（８）は開放端（１１）に近接のリセスを有する、請求項３から１１のいずれか１に記載のパッケージ。
【請求項１３】
停止手段（２２，２３）が第二容器（４）に対して第一容器（２）の摺動を制限するために設けられ、かつそれにより第二容器（４）からの第一容器（２）の分離を防止する、請求項３から１２のいずれか１に記載のパッケージ。
【請求項１４】
前記停止手段（２２，２３）は少なくとも一対の第一タブを含み、各第一タブは第一容器（２）の主側壁（１６）から第一容器（２）の外方へ突出し、かつ
少なくとも一対の第二タブ（２３）を含み、各第二タブは第二容器（４）の主側壁（８）から第二容器（４）の内方へ突出し、かつ各第二タブは第二容器（４）の開放端（１１）に近接設置され、
第一および第二タブ（２２，２３）は、第一容器（２）が第二容器（４）から外へ摺動するときに、第一タブ（２２）が第二タブ（２３）と係合するように位置決めされている、請求項１３に記載のパッケージ。
【請求項１５】
各第一容器（２）は第一容器（２）の主側壁（１６）上に対称的に設置された一対の第一タブ（２２）を有する、請求項１４に記載のパッケージ。
【請求項１６】
二つの第一容器（２）は同一である、請求項１から１５のいずれか１に記載のパッケージ。
【請求項１７】
二つの第一容器（２）は相違する、請求項１から１４のいずれか１に記載のパッケージ。
【請求項１８】
二つの第一容器（２）はそれぞれ同一群（３）のシガレットを収容している、請求項１から１７のいずれか１に記載のパッケージ。
【請求項１９】
二つの第一容器（２）はそれぞれ異なる群（３）のシガレットを収容している、請求項１から１７のいずれか１に記載のパッケージ。
【請求項２０】
第一容器（２）の四つの長手縁（１８）、および第二容器（４）の二つの長手縁（１０）は四角形でなく、丸いかまたは面取り縁である、請求項３から１９のいずれか１に記載のパッケージ。
【請求項２１】
第二容器（４）の二つの長手縁（１０）、および第二容器（４）の二つの長手縁（１０）に対面する第一容器（２）の二つの長手縁は四角形でなく、丸いかまたは面取り縁である、請求項３から１９のいずれか１に記載のパッケージ。
【請求項２２】
端壁（１３，１４）により画定された第一容器（２）の四つの長手を横切る縁（１９）、および端壁（５，６）と主側壁（８）との間に画定された第二容器（４）の四つの長手を横切る縁（１２）は四角形でなく、丸いかまたは面取り縁である、請求項３から１９のいずれか１に記載のパッケージ。
【請求項２３】
第一容器（２）の各主側壁（１６）は外方へ膨出した外形を有し、それぞれのシャープ長手縁（１８）に沿って各対応する小壁（１７）に連結され、かつ対応する各小側壁（１７）と共に実質的鈍角二面角を形成し、
第二容器（４）の各主側壁（８）は外方に膨出した半割形状を有し、それぞれシャープ長手縁（１０）に沿って小側壁（９）に連結され、かつ小側壁（９）と共に実質的鈍角二面角を形成している、請求項９から１９のいずれか１に記載のパッケージ。
【請求項２４】
第一容器（２）の各主側壁（１６）は外方へ膨出した外形を有し、長手を横切るそれぞれのシャープ縁（１９）に沿って各端壁（１３，１４）に連結され、かつ各端壁（１３，１４）に対して実質的鈍角二面角を形成し、
第二容器（４）の各主側壁（８）は外方に膨出した外形を有し、長手を横切るそれぞれのシャープ縁（１２）に沿って各端壁（５，６）に連結され、かつ各端壁（５，６）に対して実質的鈍角二面角を形成している、請求項９から１９のいずれか１に記載のパッケージ。
【請求項２５】
各第一容器（２）は、二つの長手折り目線（２５）、および長手折り目線（２５）間に上端壁（１４）の一部を形成する第一パネル（１４’）、一つの主側壁（１６）を形成する第二パネル（１６’）、下端壁（１３）を形成する第三パネル（１３’）、他の主側壁（１６）を形成する第四パネル（１６”）、および上端壁（１４）の一部を形成する第五パネル（１４”）を形成する複数の長手を横切る折り目線（２６）を有する第一フラットブランク（２４）から形成され、
第二パネル（１６’）は二つの第一ウイング（１７’）を有し、第一ウイング（１７’）は第二パネル（１６’）の両側に位置し、長手折り目線（２５）により第二パネル（１６’）から分離し、かつ小側壁（１７）の一部を形成し、
第四パネル（１６”）は二つの第二ウイング（１７”）を有し、第二ウイング（１７”）は第四パネル（１６”）の両側に位置し、長手折り目線（２５）により第四パネル（１６”）から分離し、かつ小側壁（１７）の一部を形成している、請求項３から２４のいずれか１に記載のパッケージ。
【請求項２６】
第二容器（４）は、二つの長手折り目線（２８）、および長手折り目線（２８）間に一つ主側壁（８）を形成する第一パネル（８’）、小側壁（９）を形成する第二パネル（９’）、および他の主側壁（８）を形成する第三パネル（８”）を形成する複数の長手折り目線（２９）を有する第二フラットブランク（２７）から形成され、
第一パネル（８’）は二つの第一ウイング（５’，６’）を有し、第一ウイング（５’，６’）は第一パネル（８’）の両側に位置し、長手を横切る折り目線（２８）により第一パネル（８’）から分離し、かつ端壁（５，６）の内部を形成し、
第二パネル（９’）は二つの第二ウイング（５”，６”）を有し、第二ウイング（５”，６”）は第二パネル（９’）の両端に位置し、長手を横切る折り目線（２８）により第二パネル（９’）から分離し、かつ端壁（５，６）の内部を形成し、かつ
第三パネル（８”）は二つの第三ウイング（５”’，６”’）を有し、第三ウイング（５”’，６”’）は第三パネル（８”）の両端に位置し、長手を横切る折り目線（２８）により第三パネル（８”）から分離し、かつ端壁（５，６）の外部を形成している、請求項３から２５のいずれか１に記載のパッケージ。
【請求項２７】
第一ウイング（５’，６’）および第二ウイング（５”，６”）は、第三ウイング（５”’，６”’）に対して折り畳まれて第二容器（４）の端壁（５，６）を形成するときに重合しないように形成されている、請求項２６に記載のパッケージ。
【発明の詳細な説明】
【技術分野】
【０００１】
本発明は、タバコ製品の剛性パッケージに関する。
【０００２】
本発明はシガレットの剛性パッケージに特に有利に使用できる。続く説明は例示として記載されている。
【背景技術】
【０００３】
シガレットの剛性スライド式開放パケットは特許出願ＦＲ２４９９９４７−Ａ３、ＵＳ４５３４４６３−Ａ１またはＵＳ５０８０２２７−Ａ１に記載されたタイプとして既知である。シガレットの剛性スライド式開放パケットは、第一容器を有し、第一容器は、一枚のフォイル内に包まれた一群のシガレットを収容し、かつ第一容器が第二容器の内側へ完全に挿入される閉鎖位置と、第一容器の一部が第二容器から突出する開放位置との間で、第二容器に対して摺動するように第二容器内に収納される。
【０００４】
上述タイプのシガレットの剛性スライド式開放パケットは、生産が容易であることから市販されかつ喫煙者に馴染まれているが、通常、２５本を越えるような多数のシガレットを収容するために通常の寸法よりも大きくする場合には機械的に脆弱であることが知見されている。更に、多数本のシガレット用のスライド式開放パケットは殆ど空になると、最後の方のシガレット、例えばパケットの内側に空間ができ、そこに倒れて取り出し憎くなる傾向がある。
【０００５】
【特許文献１】特許出願ＦＲ２４９９９４７−Ａ３
【特許文献２】特許出願ＵＳ４５３４４６３−Ａ１
【特許文献３】特許出願ＵＳ５０８０２２７−Ａ１
【特許文献４】特許出願ＥＰ−Ａ１−１０６６２０５
【特許文献５】特許出願ＩＴ−ＢＯ０１Ａ０００５８４
【特許文献６】特許出願ＥＰ−Ａ１−０７６４５９５
【発明の開示】
【発明が解決しようとする課題】
【０００６】
本発明の課題は、上述の欠点を解消するように設計され、かつ特に低廉かつ製造容易なタバコ製品の剛性パッケージを提供することにある。
【課題を解決するための手段】
【０００７】
本発明によれば、請求項１に記載の、または請求項１に直接的もしくは間接的に従属する続く従属請求項に記載のタバコ製品の剛性パッケージが提供される。
【発明を実施するための最良の形態】
【０００８】
添付図面において参照番号１は、一枚のフォイル内に包んだ一群３のシガレットを各々が収容する二つの容器２、および二つの容器２を収納する単一容器４を含むシガレットの剛性パケットの全体を示す。各容器２は、容器２が容器４の内側へ完全に挿入される閉鎖位置（図１）と容器２の一部が容器４から突出する開放位置（図２）との間で容器４に対して摺動する。二つの容器２は容器４に対して独立に摺動し、それにより容器２のいずれか一方または容器２の両方が開放位置に移動できる（図２）。
【０００９】
例示として、シガレットの各群３は通常平行二列に配置された１２から２０本のシガレットを含み、パケット１は総数２０から４０本のシガレットを収容する。
【００１０】
図３に示されたように、容器４は六面体に形成され、かつ下端壁５、上端壁６、上下端壁６，５により結合された側面７を含む。側面７は二つの平行に対峙する主側壁８、二つの長手縁１０により主側壁８から分離した小側壁９、小側壁９と反対側にあって閉鎖位置（図１）と開放位置（図２）間で容器２の通過を可能にする開放端１１により形成される。容器４の側壁８，９は長手を横切る縁１２により上下端壁６，５から分離し、長手を横切る縁１２は主側壁８と上下端壁６，５と長手を横切る小縁１２との間に位置する長手を横切る主縁１２を含む。
【００１１】
各容器２は実質的平行六面体であり、かつ下端壁１３、上端壁１４、上下端壁１４，１３により結合された側面１５を含む。側面１５は二つの平行に対峙する主側壁１６、および四つの長手縁１８により主側壁１６から分離した二つの平行に対峙する小側壁１７により形成される。容器２の側壁１６，１７は、主側壁１６と下端壁１３と上端壁１４との間に位置する四つの長手を横切る主縁１９、および小側壁１７と下端壁１３と上端壁１４との間に位置する四つの長手を横切る小縁１９を含む八つの長手を横切る縁１９により上下端壁１４および１３から分離する。
【００１２】
容器２の上端壁１４は、容器２が開放位置（図２）のときに、容器２からのシガレット、即ちタバコ製品、の抜き取りを可能にする、主側壁１６の一部上に拡がる開口部２０を有する。
【００１３】
自明なように、容器２が閉鎖位置（図１）のときに、容器４の主側壁８は容器２の対応する主側壁に対面かつ整列し、かつ容器４の小側壁９は容器２の対応する小側壁１７に対面しかつ整列する。
【００１４】
各容器２および４は、一群３のシガレットを収容できる寸法であり、かつ容器２は最小限の隙間を有し、従って容器２および４の形成、同様に、各容器内のシガレット群３の運動、容器４内の容器２の運動に必要なパッケージ材料を最小限にする。自明なように、各容器２からのシガレットの抜き取りを容易にするために、容器４から容器２の引き出しを容易にするために、シガレット群３と容器２との間、容器２と容器４との間の隙間を完全に排除することはできない。
【００１５】
容器４の小側壁９は二つ押し孔２１を有し、各押し孔はユーザーの少なくとも一本の指の挿入を可能にする形状および寸法に形成される。押し孔２１の目的は、容器２が閉鎖位置（図１）のときに押し孔２１に対面する各容器２の小側壁１７の部分をユーザーが押すことができるようにすることによって容器４から容器２の引き出しを促進することにある。添付図面に示された好適形態において、各押し孔２１は容器４の小側壁９および主側壁８の両側壁上に延在する。容器４の小側壁９上の各押し孔２１の部分は半円形であり、かつ容器４の主側壁８上の各押し孔２１の部分は矩形でありかつ半円形部で終端している。
【００１６】
一つの容器２の小側壁９の一部のみを露出させるために、各押し孔２１は容器４の小側壁９の限られた部分上に延在するので、各押し孔２１は一つの容器２を押し出すためにのみ使用できる。最後に、二つの押し孔２１は垂直方向にオフセットして寸法を増大し、かつ従って二つの押し孔２１を分離する容器４の小側壁９の細片の機械的強度を増大する。
【００１７】
図示されていない他の形態において、押し孔２１（または少なくとも一つの押し孔２１）は引き裂きタブにより初期に、または少なくとも一部が被覆されている。引き裂きタブの各々は引き裂き線に沿って容器２に取り付けられかつ容器２を最初に引き出すときに引き裂かれるものである。
【００１８】
図示されていない他の形態は、容器４の小側壁９のみを含むか、または容器４の小側壁９および主側壁８を含む一つの押し孔２１を含む。
【００１９】
図示されていない他の形態において、容器４の各主側壁８は、閉鎖位置のときに、容器２の対応する主側壁１６上をユーザーが握りかつ引っ張ることができることにより容器４から各容器２の引き抜きを促進するために開放端１１近接にリセスを有する。
【００２０】
パケット１は、容器４に対して容器２の摺動を制限するための停止手段を含み、かつそれにより容器４からの容器２の離脱を防止する。前記停止手段は容器２の主側壁１６から突出する二つのタブ２２、および容器４の主側壁８から突出する二つのタブ２３により形成される。各容器２の、容器４の主側壁８に対面するタブ２２は、容器２の主側壁１６から容器２の外方へ突出し、他方、各タブ２３は、容器４の主側壁８から容器４の内方へ突出し、容器４の開放端１１に近接設置される。更に、容器４の主側壁８に対面する各タブ２２は、容器２が容器４から外へ摺動するときに、対応するタブ２３と係合するように位置決めされ、そのようにして容器４からの容器２の離脱を防止する。指摘されるべきことは、各容器２は単一タブ（即ち容器４の主側壁８に対面するタブ２２）により拘束され、他方、他のタブ２２（即ち他の容器２に対面するタブ２２）は無効である。無効タブ２２の存在は、各容器２が二つのタブ２２を有する場合に二つの容器２が同一でありかつ同一ブランク２４から形成できることにより正当化される。他方、各容器２が有効タブ２２のみを有する場合に、二つの容器２は相違し（特に一方が右側に一つのタブ２２を有しかつ他方が左側にタブ２２を有する）、かつ従って異なるブランク２４から形成される。
【００２１】
図４に示されたように、各容器２は、実質的に細長い矩形の形態のフラットブランク２４から形成され、かつその構成要素は可能であれば同一参照番号を使用し、容器２の対応する要素について上書きされている。
【００２２】
ブランク２４は二つの長手折り目線２５、および長手折り目線２５間に上端壁１４の外部を形成するパネル１４’、一つの主側壁１６を形成するパネル１６’）、下端壁１３を形成するパネル１３’、他の主側壁１６を形成するパネル１６”、および上端壁１４の内部を形成するパネル１４”を形成する複数の長手を横切る折り目線２６を有する。パネル１６’は二つのウイング１７’を有し、ウイング１７’はパネル１６’の両側に位置し、長手折り目線２５によりパネル１６’から分離し、かつ小側壁１７の外部を形成し、パネル１６”は二つのウイング１７”を有し、ウイング１７”はパネル１６”の両側に位置し、長手折り目線２５によりパネル１６”から分離し、かつ小側壁１７の内部を形成し、ウイング１７”には下端壁１３の内部を形成する二つのタブ１３”が連結されている。
【００２３】
図５に示されたように、容器４は実質的矩形のフラットブランク２７から形成され、かつその構成要素は可能であれば同一参照番号を使用し、容器４の対応する要素について上書きされている。
【００２４】
ブランク２７は二つの長手を横切る折り目線２８、および長手を横切る折り目線２８間に一つ主側壁８を形成するパネル８’、小側壁９を形成するパネル９’、および他の主側壁８を形成するパネル８”を形成する複数の長手折り目線２９を有する。パネル８’は二つのウイング５’および６’を有し、ウイング５’および６’はパネル８’の両側に位置し、長手を横切る折り目線２８によりパネル８’から分離し、かつ上下端壁６および５の内部を形成する。パネル９’は二つのウイング５”および６”を有し、ウイング５”および６”はパネル９’の両端に位置し、長手を横切る折り目線２８によりパネル９’から分離し、かつ上下端壁６および５の内部を形成し、かつパネル８”は二つのウイング５”’および６”’を有し、ウイング５”’および６”’はパネル８”の両端に位置し、長手を横切る折り目線２８によりパネル８”から分離し、かつ上下端壁６および５の外部を形成する。図５に示されたように、ウイング５’および６’、ならびにウイング５”および６”は、ウイング５”’および６”’に対して折り畳まれて容器４の上下端壁６および５を形成するときに重合しないように形成される。
【００２５】
容器４は好適には二つの容器２を収容し、各容器２は一枚のフォイルに包まれた一群３のシガレットを含む。図示されていない他の形態において、容器４は三つまたは四つの容器２を収納し、各容器２が一枚のフォイルに包まれた一群３のシガレットを収容する。
【００２６】
二つのタバコ製品２内のシガレットは、通常、同一、即ち同一タイプであるが、一つの容器２が一タイプのシガレットを収容し、かつ他の容器２が異なるタイプのシガレットを収容する意味で異なってよい。異なるタイプのシガレットを収容する場合、二つの容器２は異なってよい、即ち、一つの容器２が他の容器２よりも大きくてよい。
【００２７】
図１から５の図示形態において、容器２の長手縁１８、容器２の長手を横切る縁１９、容器４の長手縁１０、および容器４の長手を横切る縁１２は四角い縁である。
【００２８】
図６において、各容器２の四つの長手縁、容器４の二つの長手縁１０は非四角形で、丸く、かつ容器４および２の長手を横切る縁１２および９は角である。図示されていない他の形態において、容器４の一つまたは二つの長手縁、かつ／または容器２の一つまたはそれ以上の長手縁１８は角であり、角のない丸い長手縁１０および１８、そして角長手縁１０および１８を有するようにしてよい。図示されていない他の形態において、容器４の長手を横切る縁１２かつ／または容器２の長手を横切る縁１９は角がなく丸い縁であり、二つの角無しの丸い長手を横切る縁１２および／または１９を有し、かつ角無しの丸い長手縁１０および／または１８であってよい。
【００２９】
図７の図示形態において、容器２の長手縁１０および容器２の長手縁１８は非四角形で面取り縁であり、かつ容器４および２の長手を横切る縁１２および１９は角縁である。
【００３０】
図８の図示形態において、容器２の各主側壁１６は外方へ膨出する外形を有し、それぞれのシャープな長手縁１８に沿って各小壁１７に連結され、かつ対応する各小側壁１７と共に実質的鈍角の二面角を形成する。図８の容器２の各主側壁１６はフラット中央部、予め形成された長手折り目線を有する二つの側細片を有し、各側細片は内方に凹状に湾曲してフラット中央部を対応する小側壁１７へ連結し、かつ小側壁１７と共に実質的鈍角二面角を形成し、かつ各上下端壁１４，１３は実質的矩形であり、かつ主側壁１６の外方に膨出した形状に適合する面取りコーナを有する。
【００３１】
図８において容器４の各主側壁８は外方へ膨出する半割形状を有し、シャープな長手縁１０に沿って小端壁９に連結され、かつ小端壁９に対して実質的鈍角二面角を形成する。更に詳細には、図８の容器４の各主側壁８はフラット中央部、および予め形成された長手折り目線を有する二つの側細片を有する。側細片は内方に凹状に湾曲してフラット中央部を対応する小側壁１７へ連結し、かつ小側壁１７と共に実質的鈍角二面角を形成する。各上下端壁６，５は実質的矩形であり、かつ主側壁８の外方に膨出した形状に適合する面取りコーナを有する。
【００３２】
基本的に、図８の形態は特許出願ＥＰ−Ａ１−１０６６２０５に記載のシガレットのパケットに類似する。
【００３３】
図９の図示形態において、容器２の各主側壁１６は外方に膨出した形状を有し、それぞれ長手を横切るシャープな縁１９に沿って上下端壁１４，１３に連結され、かつ各上下端壁１４，１３に対して実質的鈍角二面角を形成する。更に詳細には、図９の容器２の各主側壁１６はフラット中央部、および予め形成された長手折り目線を有する二つの側細片を有する。各側細片は内方に凹状に湾曲してフラット中央部を対応する小端壁１３，１４へ連結し、かつ端壁１３，１４に対して実質的鈍角二面角を形成する。各小側壁１７は実質的矩形であり、かつ主側壁１６の外方に膨出した形状に適合する面取りコーナを有する。
【００３４】
図９の容器４の各主側壁８は外方に膨出した半割形状を有し、長手を横切るそれぞれのシャープな縁１２に沿って上下端壁６，５に連結され、かつ上下端壁６，５に対して実質的鈍角二面角を形成する。更に詳細には、容器４の各主側壁８はフラット中央部、および予め形成された長手折り目線を有する二つの側細片を有する。各側細片は内方に凹状に湾曲してフラット中央部を上下端壁６，５へ連結し、かつ上下端壁６，５に対して実質的鈍角二面角を形成する。各小側壁９は実質的矩形であり、かつ主側壁８の外方に膨出した半割形状に適合する面取りコーナを有する。
【００３５】
基本的に、図９は特許出願ＩＴ−ＢＯ０１Ａ０００５８４に記載のシガレットのパケットに類似する。
【００３６】
明らかなように、図８および９のパケットに対して、部分的に膨出した壁を形成するとか、または二つの対面する膨出壁は反対に、唯一の膨出壁等の変更を加えることができる。
【００３７】
図１０の形態において、容器４の長手縁１０および容器２の長手縁１８は角縁であり，かつ容器４の長手を横切る主縁１２および容器２の長手を横切る主縁１９は角無しの丸い縁である。自明なように、容器４の長手を横切る主縁１２および容器２の長手を横切る主縁１９は角無し面取り縁である。基本的に、図１０の形態は特許出願ＥＰ−Ａ１−０７６４５９５に記載のシガレットのパケットに類似である。
【００３８】
上述のごとくパケット１は、二つの独立した容器２を含むことにより特に強力であり、高度の剛性をパケット１に付与する。更に、各容器２は制限された数のシガレットを含む一群３を収容し、従って最後のシガレットの抜き取りの困難性を解消する。
【００３９】
上述のシガレットのパケット１の有利点として、パケット１の形状は、シガレットのパケットのカートン、またはシガーパケット等のタバコ製品用の他のタイプの剛性容器の製造に一体的に利用できる。
【図面の簡単な説明】
【００４０】
【図１】閉鎖形態の、本発明によるシガレットの剛性パケットの好適形態の前方斜視図を示す。
【図２】一部開放形態の図１のシガレットの剛性パケットの前方斜視図を示す。
【図３】説明のために一部を除去した図１のシガレットの剛性パケットの分解斜視図を示す。
【図４】図１から３のシガレットの剛性パケットの内容器を形成するブランクの平面図を示す。
【図５】図１から３のシガレットの剛性パケットの外容器を形成するブランクの平面図を示す。
【図６】一部開放形態の本発明によるシガレットの剛性パケットの他の実施形態の前方斜視図を示す。
【図７】一部開放形態の本発明によるシガレットの剛性パケットの他の実施形態の前方斜視図を示す。
【図８】一部開放形態の本発明によるシガレットの剛性パケットの他の実施形態の前方斜視図を示す。
【図９】一部開放形態の本発明によるシガレットの剛性パケットの他の実施形態の前方斜視図を示す。
【図１０】一部開放形態の本発明によるシガレットの剛性パケットの他の実施形態の前方斜視図を示す。
【図１】
2007527826.tif 000003
【図２】
2007527826.tif 000004
【図３】
2007527826.tif 000005
【図４】
2007527826.tif 000006
【図５】
2007527826.tif 000007
【図６】
2007527826.tif 000008
【図７】
2007527826.tif 000009
【図８】
2007527826.tif 000010
【図９】
2007527826.tif 000011
【図１０】
2007527826.tif 000012
【手続補正書】
【提出日】平成18年1月10日(2006.1.10)
【手続補正１】
【補正対象書類名】特許請求の範囲
【補正対象項目名】全文
【補正方法】変更
【補正の内容】
【特許請求の範囲】
【請求項１】
一群（３）のタバコ製品を収容する第一容器（２）、および第一容器（２）を収容する第二容器（４）を含み、第一容器（２）が第二容器（４）へ完全に挿入される閉鎖位置と、第一容器（２）の一部が第二容器（４）から突出する開放位置との間で第一容器（２）が第二容器（４）に対して摺動するタバコ製品の硬質パッケージ（１）において、
前記パッケージ（１）が少なくとも二つの第一容器（２）を含み、その各々がそれぞれ一群（３）のタバコ製品を収容し、かつ第二容器（４）に対して摺動自在に収容され、
各第一容器（２）は実質的平行六面体であり、かつ上下端壁（１４，１３）、上下端壁（１４，１３）により結合され、かつ長手縁（１８）により相互から分離した側壁（１６，１７）により画定された側面（１５）を含み、
各第一容器（２）の前記側面（１５）は二つの平行に対峙する主側壁（１６）、および四つの長手縁（１８）により主側壁（１６）から分離した二つの平行に対峙する小側壁（１７）を含み、
各第一容器（２）の上端壁（１４）は、第一容器（２）が開放位置のときに、第一容器（２）からのタバコ製品の抜き取りを可能にする開口部（２０）を有し、
停止手段（２２，２３）が第二容器（４）に対して第一容器（２）の摺動を制限するために設けられ、かつそれにより第二容器（４）からの第一容器（２）の離脱を防止し、
前記停止手段（２２，２３）は少なくとも一対の第一タブ（２２）を含み、各第一タブはそれぞれの第一容器（２）の主側壁（１６）から第一容器（２）の外方へ突出し、かつ少なくとも一対の第二タブ（２３）を含み、各第二タブは第二容器（４）の主側壁（８）から第二容器（４）の内方へ突出し、かつ各第二タブは第二容器（４）の開放端（１１）に近接設置され、
第一および第二タブ（２２，２３）は、第一容器（２）が第二容器（４）から外へ摺動するときに、第一タブ（２２）が第二タブ（２３）と係合するように位置決めされ、
各第一容器（２）は第一容器（２）の主側壁（１６）上に対称的に設置された一対の第一タブ（２２）を有していて、二つの第一容器（２）は同一であることを特徴とする、タバコ製品の硬質パッケージ。
【請求項２】
第二容器（４）は実質的平行六面体であり、かつ上下端壁（６，５）、前記上下端壁（６，５）により結合され、かつ長手縁（１０）により相互から分離した側壁（８，９）により画定された側面（７）を含み、
第二容器（４）の前記側面（７）は二つの平行に対峙する主側壁（８）、二つの長手縁（１０）により主側壁（８）から分離した小側壁（９）を含み、
開放端（１１）が第二容器（４）の小側壁（９）の反対側に設けられて第一容器（２）の通過を可能にする、請求項１に記載のパッケージ。
【請求項３】
第二容器（４）の小側壁（９）はユーザーの指の挿入を可能にする寸法の少なくとも一つの貫通押し孔（２１）を有する、請求項２に記載のパッケージ。
【請求項４】
第二容器（４）の小側壁（９）は二つの貫通押し孔（２１）を有する、請求項３に記載のパッケージ。
【請求項５】
各貫通押し孔（２１）は第二容器（４）の小側壁（９）および主側壁（８）の両側壁上に延在する、請求項４に記載のパッケージ。
【請求項６】
第二容器（４）の小側壁（９）上の各貫通押し孔（２１）の部分は半円形であり、第二容器（４）の主側壁（８）上の各貫通押し孔（２１）の部分は矩形でありかつ半円形部で終端している、請求項５に記載のパッケージ。
【請求項７】
一つの第一容器（２）の小側壁（９）の一部のみを露出させるために、各貫通押し孔（２１）は第二容器（４）の小側壁（９）の限られた部分上に延在する、請求項４、５または６のいずれか１に記載のパッケージ。
【請求項８】
二つの貫通押し孔（２１）は相互に対して一直線上でない、請求項４から７のいずれか１に記載のパッケージ。
【請求項９】
少なくとも一つの貫通押し孔（２１）は引き裂きタブにより少なくとも一部が被覆されている、請求項４から８のいずれか１に記載のパッケージ。
【請求項１０】
複数の貫通押し孔（２１）は引き裂きタブにより少なくとも一部が被覆されている、請求項４から８のいずれか１に記載のパッケージ。
【請求項１１】
第二容器（４）の各主側壁（８）は開放端（１１）に近接のリセスを有する、請求項２から１０のいずれか１に記載のパッケージ。
【請求項１２】
第一容器（２）の四つの長手縁（１０）、および第二容器（４）の二つの長手縁（１０）は四角形でなく、丸いかまたは面取り縁である、請求項２から１１のいずれか１に記載のパッケージ。
【請求項１３】
第二容器（４）の二つの長手縁（１０）、および第二容器（４）の二つの長手縁（１０）に対面する第一容器（２）の二つの長手縁は四角形でなく、丸いかまたは面取り縁である、請求項２から１１のいずれか１に記載のパッケージ。
【請求項１４】
上下端壁（１４，１３）間に形成された第一容器（２）の四つの長手を横切る縁（１９）、および上下端壁（６，５）と主側壁（８）との間に形成された第二容器（４）の四つの長手を横切る縁（１２）は四角形でなく、丸いかまたは面取り縁である、請求項２から１１のいずれか１に記載のパッケージ。
【請求項１５】
第一容器（２）の各主側壁（１６）は外方へ膨出した外形を有し、それぞれのシャープ長手縁（１８）に沿って対応する各小壁（１７）に連結され、かつ対応する各小側壁（１７）と共に実質的鈍角二面角を形成し、
第二容器（４）の各主側壁（８）は外方に膨出した半割形状を有し、それぞれシャープ長手縁（１０）に沿って小側壁（９）に連結され、かつ小側壁（９）と共に実質的鈍角二面角を形成している、請求項２から１１のいずれか１に記載のパッケージ。
【請求項１６】
第一容器（２）の各主側壁（１６）は外方へ膨出した外形を有し、長手を横切るそれぞれのシャープ縁（１９）に沿って各上下端壁（１４，１３）に連結され、かつ各上下端壁（１４，１３）に対して実質的鈍角二面角を形成し、
第二容器（４）の各主側壁（８）は外方に膨出した外形を有し、長手を横切るそれぞれのシャープ縁（１２）に沿って各上下端壁（６，５）に連結され、かつ各上下端壁（６，５）に対して実質的鈍角二面角を形成している、請求項２から１１のいずれか１に記載のパッケージ。
【請求項１７】
第二容器（４）は、二つの長手を横切る折り目線（２８）、および長手を横切る折り目線（２８）間に一つ主側壁（８）を形成する第一パネル（８’）、小側壁（９）を形成する第二パネル（９’）、および他の主側壁（８）を形成する第三パネル（８”）を形成する複数の長手折り目線（２９）を有する第二フラットブランク（２７）から形成され、
第一パネル（８’）は二つの第一ウイング（５’，６’）を有し、第一ウイング（５’，６’）は第一パネル（８’）の両側に位置し、長手を横切る折り目線（２８）により第一パネル（８’）から分離し、かつ上下端壁（６，５）の内部を形成し、
第二パネル（９’）は二つの第二ウイング（５”，６”）を有し、第二ウイング（５”，６”）は第二パネル（９’）の両端に位置し、長手を横切る折り目線（２８）により第二パネル（９’）から分離し、かつ上下端壁（６，５）の内部を形成し、かつ
第三パネル（８”）は二つの第三ウイング（５”’，６”’）を有し、第三ウイング（５”’，６”’）は第三パネル（８”）の両端に位置し、長手を横切る折り目線（２８）により第三パネル（８”）から分離し、かつ上下端壁（６，５）の外部を形成している、請求項２から１６のいずれか１に記載のパッケージ。
【請求項１８】
第一ウイング（５’，６’）および第二ウイング（５”，６”）は、第三ウイング（５”’，６”’）に対して折り畳まれて第二容器（４）の上下端壁（６，５）を形成するときに重合しないように形成されている、請求項１７に記載のパッケージ。
【請求項１９】
各第一容器（２）は、二つの長手折り目線（２５）、および長手折り目線（２５）間に上端壁（１４）の一部を形成する第一パネル（１４’）、一つの主側壁（１６）を形成する第二パネル（１６’）、下端壁（１３）を形成する第三パネル（１３’）、他の主側壁（１６）を形成する第四パネル（１６”）、および上端壁（１４）の一部を形成する第五パネル（１４”）を形成する複数の長手を横切る折り目線（２６）を有する第一フラットブランク（２４）から形成され、
第二パネル（１６’）は二つの第一ウイング（１７’）を有し、
第一ウイング（１７’）は第二パネル（１６’）の両側に位置し、長手折り目線（２５）により第二パネル（１６’）から分離し、かつ小側壁（１７）の一部を形成し、
第四パネル（１６”）は二つの第二ウイング（１７”）を有し、第二ウイング（１７”）は第四パネル（１６”）の両側に位置し、長手折り目線（２５）により第四パネル（１６”）から分離し、かつ小側壁（１７）の一部を形成している、請求項１から１８のいずれか１に記載のパッケージ。
【請求項２０】
二つの第一容器（２）はそれぞれ同一群（３）のシガレットを収容している、請求項１から１９のいずれか１に記載のパッケージ。
【請求項２１】
二つの第一容器（２）はそれぞれ異なる群（３）のシガレットを収容している、請求項１から１９のいずれか１に記載のパッケージ。
【請求項２２】
一群（３）のタバコ製品を収容する第一容器（２）、および第一容器（２）を収容する第二容器（４）を含み、第一容器（２）が第二容器（４）へ完全に挿入される閉鎖位置と、第一容器（２）の一部が第二容器（４）から突出する開放位置との間で第一容器（２）が第二容器（４）に対して摺動するタバコ製品の硬質パッケージ（１）において、
前記パッケージ（１）が少なくとも二つの第一容器（２）を含み、その各々がそれぞれ一群（３）のタバコ製品を収容し、かつ第二容器（４）に対して摺動自在に収容され、
第二容器（４）は実質的平行六面体であり、かつ上下端壁（６，５）、前記上下端壁（６，５）により結合され、かつ長手縁（１０）により相互から分離した側壁（８，９）により画定された側面（７）を含み、
第二容器（４）の前記側面（７）は二つの平行に対峙する主側壁（８）、二つの長手縁（１０）により主側壁（８）から分離した小側壁（９）を含み、
開放端（１１）が第二容器（４）の小側壁（９）の反対側に設けられて第一容器（２）の通過を可能にすることを特徴とする、タバコ製品の硬質パッケージ。
【請求項２３】
第二容器（４）の小側壁（９）を貫通する各押し孔（２１）の部分は半円形であり、第二容器（４）の主側壁（８）上の各押し孔（２１）の部分は矩形でありかつ半円形部で終端している、請求項２２に記載のパッケージ。
【請求項２４】
二つの押し孔（２１）は相互に対して一直線上でない、請求項２２または２３のいずれか１に記載のパッケージ。
【請求項２５】
少なくとも一つの押し孔（２１）は引き裂きタブにより少なくとも一部が被覆されている、請求項２２、２３または２４のいずれか１に記載のパッケージ。
【請求項２６】
複数の押し孔（２１）はそれぞれ引き裂きタブにより少なくとも一部が被覆されている、請求項２２、２３または２４のいずれか１に記載のパッケージ。
【国際調査報告】
2007527826.tif 000013
2007527826.tif 000014
2007527826.tif 000015